(57)【要約】  アラインメントロッドと取り付けピンとを保管するための保管室としての筒状本体を備える多機能ゴルフトレーニング補助具である。このゴルフトレーニング補助具は、パッティング軌道用、スイングアラインメント補助用等、様々な形式で使用できる。このゴルフトレーニング補助具はゴルフバッグに適合し、そのクッション性端部は、ゴルフバッグの中で隣接するゴルフクラブを輸送時に保護する。
2012511937.tif 000002
【特許請求の範囲】
【請求項１】
第一の端部と第二の端部とを有する本体と、前記本体を弧状にスイングするために前記第一の端部に固着される第一の把持手段と、前記本体を弧状にスイングするために前記第二の端部に固着される第二の把持手段と、前記本体の重さを調整するために前記本体に取り外し可能に固定されるウエイト手段と、保管室と、を含み、ゴルファーが多様な重さの擬製ゴルフクラブとしてゴルフスイングを行うことができるようにされている、ゴルフトレーニング補助具。
【請求項２】
請求項１に記載のゴルフトレーニング補助具であって、前記本体が、開いた第一の端部と閉じた第二の端部を有する中空筒状のものであり、その結果、前記中空筒状本体が前記保管室を形成している、ゴルフトレーニング補助具。
【請求項３】
請求項２に記載のゴルフトレーニング補助具であって、前記開いた第一の端部にねじ山が付けられ、ねじ山を付けられ重さを付与された閉止プラグが前記第一の端部にねじ結合可能であり、前記閉止プラグにより前記ウエイト手段が形成される、ゴルフトレーニング補助具。
【請求項４】
請求項３に記載のゴルフトレーニング補助具であって、前記閉止プラグが、ねじ山を付けられるとともに様々な重さを有する多数の閉止プラグを含み、それにより、前記ゴルフトレーニング補助具が様々なゴルフクラブの重さを模するように重み付けされる、ゴルフトレーニング補助具。
【請求項５】
請求項４に記載のゴルフトレーニング補助具であって、前記多数の閉止プラグが衝撃吸収のためのクッション性頂部表面を含んでいる、ゴルフトレーニング補助具。
【請求項６】
請求項５に記載のゴルフトレーニング補助具であって、前記第一の把持手段が、前記本体の前記第一の端部に取り付けられた第一のゴルフグリップであり、該第一のゴルフグリップは、前記多数の閉止プラグのねじ結合を許容するための開いた頂部を有する、ゴルフトレーニング補助具。
【請求項７】
請求項６に記載のゴルフトレーニング補助具であって、前記第二の把持手段が、前記本体の前記第二の端部に取り付けられた第二のゴルフグリップであり、該第二のゴルフグリップは、衝撃を吸収するためのクッション性頂部表面を含んでいる、ゴルフトレーニング補助具。
【請求項８】
請求項７に記載のゴルフトレーニング補助具であって、前記本体は、ゴルフバッグの外側まで延び出すように、ゴルフクラブよりも長い長さを有し、その結果、前記多数の閉止プラグの前記クッション性頂部表面と、前記第二のゴルフグリップの前記クッション性頂部表面と、の内の一つが負荷への衝突にさらされ、それにより、隣接するゴルフクラブが保護される、ゴルフトレーニング補助具。
【請求項９】
第一の開いた端部と第二の閉じた端部とを有して内部に保管室を形成する筒状本体と、前記第一の開いた端部を覆う第一のゴルフグリップであって、端部が開いた第一のゴルフグリップと、前記第二の閉じた端部を覆う第二のゴルフグリップであって、端部が閉じた第二のゴルフグリップと、を備え、前記第一の開いた端部にはねじ山が形成されるとともに、ねじ山が形成され且つ重みが付与された閉止プラグが前記第一の開いた端部にねじ結合可能に構成され、前記閉止プラグはゴルフクラブの重さを模するように構成されている、ゴルフトレーニング補助具。
【請求項１０】
請求項９に記載のゴルフトレーニング補助具であって、前記筒状本体が底面を備え、該底面には、前記第一の開いた端部と前記第二の閉じた端部との中間に第一の孔が形成され、前記第一のゴルフグリップに隣接して第二の孔が形成され、前記第二のゴルフグリップに隣接して第三の孔が形成されている、ゴルフトレーニング補助具。
【請求項１１】
請求項１０に記載のゴルフトレーニング補助具であって、前記第一の孔、前記第二の孔、前記第三の孔の少なくとも二つは、それぞれ第一の端部と第二の端部とを有する第一及び第二のピンを受入可能に構成され、その結果、前記第一及び第二のピンの前記第一の端部が前記少なくとも二つの孔に圧入され、さらに、前記第一及び第二のピンの前記第二の端部が芝生面に差し込まれ、これにより前記筒状本体を芝生面上で浮かして支え、それによりパッティングアラインメント補助を形成する、ゴルフトレーニング補助具。
【請求項１２】
請求項１１に記載のゴルフトレーニング補助具であって、前記第一及び第二のピンが前記保管室に保管されている、ゴルフトレーニング補助具。
【請求項１３】
請求項１２に記載のゴルフトレーニング補助具であって、前記筒状本体に対して平行に芝生面上に配置されることによりパッティング軌道を形成する第一及び第二のアラインメントロッドをさらに備えている、ゴルフトレーニング補助具。
【請求項１４】
請求項１３に記載のゴルフトレーニング補助具であって、前記第一のアラインメントロッドが、前記第一の孔に適合することにより前記筒状本体とともにＴ字型を形成する第一の端部を含み、前記第二のアラインメントロッドが、ターゲットラインを形成すべく前記第一のアラインメントロッドを横切って配置され、これによりゴルフアラインメントツールが形成される、ゴルフトレーニング補助具。
【請求項１５】
請求項１４に記載のゴルフトレーニング補助具であって、前記第一のアラインメントロッドと前記第二のアラインメントロッドが前記保管室に保管されている、ゴルフトレーニング補助具。
【請求項１６】
請求項１５に記載のゴルフトレーニング補助具であって、前記第一及び第二のゴルフグリップの少なくとも一つが前記筒状本体から取り外し可能であり、これを取り外すとスイングエクササイズ中に聞き取れる音を発する笛孔が露出し、その結果、スイング中の笛の音の大きさによってゴルファーがスイングスピードを評価できる、ゴルフトレーニング補助具。
【請求項１７】
ａ．ねじ山が形成され開いた第一の端部と、閉じた第二の端部と、を備える筒状本体であって、前記第一の端部には取り外し可能なゴルフグリップが取り付けられ、前記第二の端部には固定式ゴルフグリップが取り付けられ、前記第一及び第二のゴルフグリップ間に等間隔で設けられた第一、第二及び第三の孔を備えている前記筒状本体と、
ｂ．様々な重さを有し、前記第一の端部とねじ結合できるようにねじ山が形成された多数の閉止プラグであって、前記第一の端部に対して交換可能であり、これにより、ゴルフスイングエクササイズのために様々なゴルフクラブの重さを模する前記多数の閉止プラグと、
ｃ．前記筒状本体内に保管される一セットのアラインメントロッドであって、ゴルフストローク及び足の位置を適正にするための練習用として前記筒状本体とともに使用される前記アラインメントロッドと、
ｄ．芝生面上で前記筒状本体に取り付けるための一セットのピンであって、前記第一、第二及び第三の孔の内の二つと前記芝生面とに圧入可能であり、これによりパッティング軌道を形成する前記ピンと、
を備える、ゴルフトレーニング補助具キット。
【発明の詳細な説明】
【技術分野】
【０００１】
本発明は、有形の発射物を用いるゲーム（試合）、すなわちゴルフのための練習装置、特に、多機能のゴルフトレーニング補助具に関する。
【背景技術】
【０００２】
ゴルファーは、ゲーム開始前に、練習・ウオームアップ用具をしばしば使う。その用具は、ゴルファーの腕や胴体を暖めるようにゴルファーが保持してスイングする一対のアイアンのようにシンプルであるかもしれない。また、スイングのために用いられる錘の付いたクラブのような、目的作り用具もある。この用具は、パッティングやドライビングの練習のためのアラインメント用具としてゴルファーが携行することができる木製のだぼ（合わせくぎ）又は一対のファイバーグラス製のロッドのようにシンプルであるかもしれない。
【０００３】
従来技術には、ゴルフトレーニング補助具の多くの例がある。一つの例は、タン（Ｔａｎ）氏に発行されたアメリカ特許第６７６７２９０号「ゴルフトレーニング補助具」であり、この特許は、スイング時に適切なボディスタンスを維持させるための肩ひもを開示している。
【０００４】
他の例は、ギボンズ氏等（Ｇｉｂｂｏｎｓ  ｅｔ  ａｌ．）に発行されたアメリカ特許第７４５５５９５号「ゴルフトレーニング補助具」であり、この特許は、適切なゴルフスイングができるようにするために体に取り付けられる別の装置である。
【０００５】
三番目の例は、ソーントン氏（Ｔｈｏｒｎｔｏｎ）に発行されたアメリカ特許第４９４９９７１号「ゴルフトレーニング補助具」であり、この特許は、正確性を高めるためにゴルフクラブに取り付け可能なポインティングエイド（位置指示具）を提供する。
【０００６】
ゴルファーによって良く用いられる他の練習補助具は、錘のついたスイングクラブ、Ｔ字形のアタッチメントを有するスイングアラインメントロッド、パッティングプレイン、ストレッチ用フィットネス棒、移動時用クラブプロテクター、パッティングトレーナー、ストリングライン（ひも）、フリーウエイト、フォウムローラー（ｆｏａｍ  ｒｏｏｌｌｅｒｓ）、フレキシブルスイングテンプトレーナー（ｆｌｅｘｉｂｌｅ  ｓｗｉｎｇ  ｔｅｍｐ  ｔｒａｉｎｅｒｓ）、べりーパタートレーニングアタッチメント（ｂｅｌｌｙ  ｐｕｔｔｅｒ  ｔｒａｉｎｉｎｇ  ａｔｔａｃｈｍｅｎｔ）、ゴム製エクササイズチューブ、パッティングトラック、パッティングミラーを含む。
【先行技術文献】
【特許文献】
【０００７】
【特許文献１】アメリカ特許第６７６７２９０号公報
【特許文献２】アメリカ特許第７４５５５９５号公報
【特許文献３】アメリカ特許第４９４９９７１号公報
【発明の概要】
【発明が解決しようとする課題】
【０００８】
従来品の有する特定の欠陥又は不便は、より良いウオームアップ用具を望んでいるゴルファーに現在役に立つゴルフ補助具につながる。従来の補助具は、バランスが取れていない傾向にあるので、筋肉のウオームアップに用いるには効果的でない。従来の補助具はゴルフクラブバッグに十分入りきらず、しばしばゴルフクラブバッグの端から突き出てしまう。このため、これらの補助具は運搬中に航空機の荷物保持部内で傷つきやすい。また、異なる用具をひとまとめにして単一の荷物にすることができなかった。例えば、アラインメントロッド（直線ロッド）、スイング練習具、錘付きクラブは、ゴルフバッグをごった返すことになる異なる三つの用具である。ここで特定した例によって明らなように、従来のウオームアップ用具とトレーニング補助具は扱いにくく、移動に適さない。
【０００９】
そこで、ゴルフの競技において、多数の異なるフィットネス及びトレーニングエクササイズを合体させて多機能用具としたトレーニング補助具及びウオームアップ用具がずっと待ち望まれている。
【課題を解決するための手段】
【００１０】
本発明は、便利で経済的で効果的な多機能ゴルフトレーニング補助具を提供することにより、ウオームアップエクササイズ時にゴルファーによって使用される従来のエクササイズ装置の欠陥を克服しようとするものである。
【００１１】
さらに、本発明は、アラインメントロッドを本体内に収容して運搬することもでき、且つ、ゴルフバッグの中でゴルフクラブプロテクターとして用いることもできる、ウオームアップ用具を提供しようとするものである。
【００１２】
これを行うため、本発明のウオームアップ用具は、ゴルフバッグに入れて運搬されるゴルフクラブのグリップを越える位置に端部があり、且つ、衝撃をゴルフクラブヘッドではなく前記端部で受け止めるように、該端部にクッション性を持たせたものである。
【図面の簡単な説明】
【００１３】
【図１】本発明の底面図である。
【図２】本発明の側面図である。
【発明を実施するための形態】
【００１４】
図１及び図２を参照すると、そこには本発明のゴルフトレーニング補助具１０の底面図と側面図のそれぞれが示されている。本発明のゴルフトレーニング補助具１０は、ゴルファーによってウオームアップエクササイズ時に使用されるとともに、他のゴルファーにスイングやパットを教えるためにも使用される。
【００１５】
前記ゴルフトレーニング補助具１０の本体１２は、長い中空の筒体である。本発明の一実施の形態において、筒状の前記本体１２は長さが４７インチ、外径（直径）０．５インチである。前記本体１２は、アルミニウム又はアルミニウム合金等の軽金属や、弾力性のあるプラスチック、ファイバーグラス又はカーボン複合物を材料として作ることができる。前記本体１２の直径は、直径約３／１６インチの二本のファイバーグラス製アラインメントロッド（直線ロッド）１４，１６を内部の保管室に収容するのに十分な直径である。
【００１６】
前記ゴルフトレーニング補助具の各端部には、左右対称でバランスがとれるようにゴルフクラブグリップ（第一及び第二の把持手段）１８，２０が設けられる。少なくとも前記端部２２の一つには、前記アラインメントロッドの保管を可能とし且つ前記本体（筒体）を閉じることができるように、ねじ式キャップ２４が設けられる。このキャップ２４は、本発明のゴルフトレーニング補助具の重さとバランスを男性用と女性用とに調整できるように重み付けされている。前記本体の一端のゴルフグリップ１８と前記本体の他端のウエイト（キャップ２４）とにより、あたかもゴルフクラブのように、スイングの最終位置まで前記本体をスイングでき且つそのスイングスピードを増大させることができる。これにより、より強い打球とより遠い飛距離を出せるようになる。
【００１７】
前記本体（筒体）の他端は、移動中に前記アラインメントロッドが脱落しないように永久シールされている。両端にグリップを設けておくと、ゴルファーがいずれの端を持ってもスイングでき、本発明の装置のバランスもより良いものとなる。本発明の装置は、ドライビングアイアン二本分とほぼ同じ重さに設定されるので、ゴルフスイングの練習や体をひねる運動を行う用具として適している。
【００１８】
本発明の装置の端部（頂部）２６，２８はクッション性を付与され且つ取り外し可能とされている。これは、前記端部を保護するため、及び、ゴルフバッグに収容されたゴルフクラブのヘッドが運搬時に損傷するのを防止する衝撃面として作用させるためである。概して、本発明の装置はゴルフクラブバッグの中で最も長い。
【００１９】
前記本体が左右対称であることにより、フィットネス及びストレッチング用具として使用することもできる。
【００２０】
前記本体１２の底面３４には、三つの孔３０，３１，３２がある。第一の孔３０は、前記本体１２の底面中央に位置する。第二の孔３１はグリップ１８に隣接して位置し、第三の孔３２は反対側のグリップ２０に隣接して位置する。前記第二の孔３１と第三の孔３２は、図２に示すように、前記本体１２をグリーン面（芝生面）３７に固定するためのピン（３３，３５）の一端を圧入状態で受け入れ可能とされ、前記ピン（スパイク）は、前記本体１２をグリーン面上で持ち上げ支持してパッティングラインをつくる。前記ピン３３，３５は前記本体１２内に保管され、約８インチの長さを有する。他の実施の形態として、本発明の装置は水平視認用気泡を含む。さらに他の実施の形態として、ゴルファーが目の位置を見ることができるように、前記本体に磁石で取り付け可能な鏡を備えることもできる。
【００２１】
前記本体（筒体）の一端には、笛として作用する孔４２がある。ゴルファーは前記孔４２を覆う前記グリップ２０を取り外し、反対側のグリップ１８を用いてゴルフクラブのように本発明の装置をスイングすることができる。このとき、前記笛（孔）の音がスイングの速さを示す。
【００２２】
本発明の装置は様々な長さで提供することができ、前記グリップは様々な色で提供することができる。前記グリップと前記本体（筒）は、広告宣伝用の媒体として用いることができる。本発明の装置は、男性プレーヤーと女性プレーヤーのそれぞれに適する重さとすることができる。前記ウエイトは、本発明の装置の、取り外し可能でクッション性を有する端部２８に含まれる。キットとして販売される前記端部２８のための別のウエイトもあり得る。
【００２３】
本発明の装置は、ゴルフのルールに適合する器具であり、そのためプレーヤーがプレー中にゴルフバッグに入れて運搬できる器具としての利点を有する。他の練習用具は、プレー中にゴルフバッグに入れておくことが許されていない。転戦するプレーヤーのために、本発明の装置は、歩行時のステッキや衣服掛け棒等の多くの他の用途を有する。
【００２４】
本発明の装置を用いて、スイング、オーバーショルダーツイスト、ティーピーストレッチ、アックスチョップ、平面ストレッチ、サイドベンド、ゴルフスタンスチェストストレッチ、プッシュ・プルショルダーストレングスニング、前記ロッドに連結したウエイトを用いたリストロールアップ等、多種のエクササイズが行える。本発明の装置は、例えばボール等、他のエクササイズツールと組み合わせて使用することもできる。
【００２５】
前記本体内に入れて運搬される前記アラインメントロッドは、フルショットアラインメント、フルショットボールポジショニング、ダウンターゲットライン、スイング面チェック、ミラーアイアラインメントチェック、狭い軌道でのパッティング、パッティング曲がり等のために用いられる。本発明の装置とともに運搬される前記三本のピンは、パッティング練習具として使用される。練習用具としての本発明の装置の使用方法を説明する使用指示書が、前記アラインメントロッド、前記ピン及び前記鏡とともに、前記本体を含むキットに含まれる。様々な重みの端部キャップを前記キットとともに販売することもできる。
【００２６】
本発明の装置は、様々な用途を単一の用具に独特の方法で結合させたものである。
【００２７】
前記説明は多くの特殊性を含むけれども、これらが本発明の範囲を限定するものと解釈してはならず、それらは単に本発明の好ましい例のいくつかの図示を提供するものに過ぎない。本発明の範囲は、添付の請求項及びその均等物によって決定されるべきである。
【図１】
2012511937.tif 000003
【図２】
2012511937.tif 000004
【国際調査報告】
2012511937.tif 000005
2012511937.tif 000006
2012511937.tif 000007
2012511937.tif 000008